(57)【要約】【課題】  従来のチャンネル文字は、枠体にネオン管を入れて形成されており、全体が厚くなる等の課題がある。【解決手段】  前面及び背面の両面が開口したチャンネル文字用の枠体の内部を、仕切り壁によって前面側収容部と背面側収容部に仕切り、前面側収容部に二以上のＬＥＤを配列して一又は二以上の所望の文字、図形、模様等を表示し、背面側収容部に背面照明用のＬＥＤを一又は二以上設けた。前面側収容部と背面側収容部の一方又は双方を二以上の区画室に区画し、夫々の区画室内に二以上のＬＥＤを配列し、各区画室内のＬＥＤを同一又は異なる発光色とした。また、ＬＥＤを板状、フィルム状等の取付け部材に取付けて枠体内に備えた。前記取付け部材を可撓性を備えるものとした。また、前面側収容部、背面側収容部の開口部を透光性のカバーで被覆した。【選択図】図１
2005266677.tif 000002
【特許請求の範囲】
【請求項１】
前面及び背面の両面が開口したチャンネル文字用の枠体の内部を、仕切り壁によって前面側収容部と背面側収容部に仕切り、前面側収容部に二以上のＬＥＤを配列して一又は二以上の所望の文字、図形、模様等を表示し、背面側収容部に背面照明用のＬＥＤが一又は二以上設けられたことを特徴とするＬＥＤを用いたチャンネル文字。
【請求項２】
請求項１記載のＬＥＤを用いたチャンネル文字において、前面側収容部が二以上の区画室に区画され、夫々の区画室内に二以上のＬＥＤを配列して一又は二以上の所望の文字、図形、模様等が表示され、各区画室内のＬＥＤが同一又は異なる発光色であることを特徴とするＬＥＤを用いたチャンネル文字。
【請求項３】
請求項１又は請求項２記載のＬＥＤを用いたチャンネル文字において、背面側収容部が二以上の区画室に区画され、夫々の区画室内に一又は二以上のＬＥＤが設けられ、各区画室内のＬＥＤが同一又は異なる発光色であることを特徴とするＬＥＤを用いたチャンネル文字。
【請求項４】
請求項１乃至請求項３のいずれかに記載のＬＥＤを用いたチャンネル文字において、二以上のＬＥＤが板状、フィルム状等の取付け部材に取付けられ、その取付け部材が前面側収容部、背面側収容部内に収容されたことを特徴とするＬＥＤを用いたチャンネル文字。
【請求項５】
請求項４記載のＬＥＤを用いたチャンネル文字において、取付け部材が可撓性を備え、その取付け部材を所望の文字、図形、模様等に変形させて前面側収容部に配置したことを特徴とするＬＥＤを用いたチャンネル文字。
【請求項６】
請求項１乃至請求項５のいずれかに記載のＬＥＤを用いたチャンネル文字において、チャンネル文字用の枠体が、文字、図形、模様等の所望形状であることを特徴とするＬＥＤを用いたチャンネル文字。
【請求項７】
請求項１乃至請求項６記載のＬＥＤを用いたチャンネル文字において、前面側収容部、背面側収容部の開口部を透光性のカバーで被覆したことを特徴とするＬＥＤを用いたチャンネル文字。
【発明の詳細な説明】
【技術分野】
【０００１】
本発明は、広告・宣伝用の看板、案内看板、案内灯、表示灯、証明灯等として使用可能なＬＥＤを用いたチャンネル文字に関するものである。
【背景技術】
【０００２】
文字、図形、模様等の形状をしたチャンネル文字は従来から各種ある。従来のチャンネル文字の一つとして、所望の文字、模様、図形等の形状に形成された前面開口、背面閉塞のチャンネル文字用の枠体内に、枠体に適合する形状に変形させたネオン管を入れたものがある。枠体の前面は開口したままの場合もあるが、透明、乳白色等、任意の色の光透過性の樹脂板でカバーしたものもある。このチャンネル文字の場合は、枠体の背面を壁面に取付け、枠体内のネオン管を発光させることで、枠体の前面から文字や模様等を表示する。
【０００３】
また、従来は、枠体を前面閉塞、背面開口とし、その枠体内にネオン管を入れたチャンネル文字もある。このチャンネル文字の場合は、枠体の背面を壁面に向けて、壁面から離して壁面に取付けて、枠体内のネオン管の発光で壁面を照らすことにより、文字や模様等を浮かび上がらせて表示する。
【発明の開示】
【発明が解決しようとする課題】
【０００４】
しかし、従来のチャンネル文字には次のような課題がある。
（１）従来のチャンネル文字は、チャンネル文字用枠体の内部に用いているネオン管に約１５０００ボルトもの高電圧がかかる場合もあり、取扱いが危険である。
（２）枠体にネオン管を入れて形成されていたので、チャンネル文字全体の厚みが厚く形成され、見栄えが良くない。そのため、チャンネル文字の前面と背面の両面を同時に発光させる両面発光のチャンネル文字を形成することは困難である。また、多数色のネオン管を一つのチャンネル文字用枠体内に用いることも困難である。
（３）また、ネオン管は寿命が短く、こまめに交換する必要があるため、その都度交換の手間と費用がかかっていた。
【課題を解決するための手段】
【０００５】
本発明は、上記課題を解決し、安全で、薄型に形成可能で、多数色を発光可能で、且つ簡易且つ安価に製造可能なチャンネル文字を提供するものである。
【０００６】
本件出願のチャンネル文字は、前面及び背面の両面が開口したチャンネル文字用の枠体の内部を、仕切り壁によって前面側収容部と背面側収容部に仕切り、前面側収容部に二以上のＬＥＤを配列して一又は二以上の所望の文字、図形、模様等を表示し、背面側収容部に背面照明用のＬＥＤが一又は二以上設けられたものである。また、前記ＬＥＤを用いたチャンネル文字において、前面側収容部が二以上の区画室に区画され、夫々の区画室内に二以上のＬＥＤを配列して一又は二以上の所望の文字、図形、模様等が表示され、各区画室内のＬＥＤが同一又は異なる発光色となるようにしてある。また、背面側収容部が二以上の区画室に区画され、夫々の区画室内に一又は二以上のＬＥＤが設けられ、各区画室内のＬＥＤが同一又は異なる発光色となるようにしてある。また、二以上のＬＥＤが板状、フィルム状等の取付け部材に取付けられ、その取付け部材が前面側収容部、背面側収容部内に収容されている。また、取付け部材が可撓性を備え、その取付け部材を所望の文字、図形、模様等に変形させて前面側収容部に配置している。また、チャンネル文字用の枠体が、文字、図形、模様等の所望形状としている。前面側収容部、背面側収容部の開口部を透光性のカバーで被覆している。
【発明の効果】
【０００７】
本件出願の請求項１記載のチャンネル文字は、前面及び背面の両面が開口したチャンネル文字用の枠体の内部を、仕切り壁によって前面側収容部と背面側収容部に仕切り、前面側収容部に二以上のＬＥＤを配列して一又は二以上の所望の文字、図形、模様等を表示し、背面側収容部に背面照明用のＬＥＤが一又は二以上設けられているので、次のような効果がある。
（１）光源としてＬＥＤを用いているので、かかる電圧も低く、安全である。また、ＬＥＤは寿命が長く、交換の手間も少なくて済み、コスト減にも資する。
（２）また、小さいＬＥＤを光源とするため、チャンネル文字を薄く形成することが可能である。
（３）また、枠体内部に仕切り板を備えるので、チャンネル文字の前面と背面の両面を同時に違う色で照明することもでき、見た目に斬新な照明パターンを実現できる。
【０００８】
本件出願の請求項２記載のチャンネル文字は、前面側収容部が二以上の区画室に区画され、夫々の区画室内に二以上のＬＥＤを配列して一又は二以上の所望の文字、図形、模様等が表示され、各区画室内のＬＥＤが同一又は異なる発光色であるので、前記各効果の他、次のような効果がある。
（１）チャンネル文字の前面側収容部で、同時に違う色を発色することができ、種々の照明パターンを実現させることができる。
（２）前面側収容部が二以上の区画室に区画されるので、異なる色の発光色同士が混ざり合うことがなく、明確に区画できる。
【０００９】
本件出願の請求項３記載のチャンネル文字は、背面側収容部が二以上の区画室に区画され、夫々の区画室内に一又は二以上のＬＥＤが設けられ、各区画室内のＬＥＤが同一又は異なる発光色であるので、前記各効果の他、次のような効果がある。
（１）チャンネル文字の背面側収容部で、同時に違う色を発色することができ、種々の照明パターンを実現させることができる。
（２）背面側収容部が二以上の区画室に区画されるので、異なる色の発光色同士が混ざり合うことがなく、明確に区画できる。
【００１０】
本件出願の請求項４記載のチャンネル文字は、二以上のＬＥＤが板状、フィルム状等の取付け部材に取付けられ、その取付け部材が前面側収容部、背面側収容部内に収容されたので、前記各効果の他、次のような効果がある。
（１）一つ一つＬＥＤを取り付け、取り外しする必要がなく、ＬＥＤの着脱が容易となるため、チャンネル文字を容易に形成することができる。
【００１１】
本件出願の請求項５記載のチャンネル文字は、取付け部材が可撓性を備え、その取付け部材を所望の文字、図形、模様等に変形させて前面側収容部に配置したので、前記各効果の他、次のような効果がある。
（１）予め決めた形状に基板等の取付け部材を加工しておく必要がなく、所望の形状がいつでも得られるため、様々な枠体に簡単にＬＥＤを備えることができ、チャンネル文字を簡単に形成することができる。
（２）また、取付け部材が可撓性を備えるので、取付け部材を、種々の形状の枠体について、反復して用いることができ、コスト減にも資する。
【００１２】
本件出願の請求項６記載のチャンネル文字は、チャンネル文字用の枠体が、文字、図形、模様等の所望形状であるので、前記各効果の他、次のような効果がある。
（１）チャンネル文字用枠体自身も看板や広告塔としての役割を果たすため、より遠くからでも、発光する文字や図形を認識しやすくなり、より高い広告効果が得られる。
【００１３】
本件出願の請求項７記載のチャンネル文字は、前面側収容部、背面側収容部の開口部を透光性のカバーで被覆したので、前記各効果の他、次のような効果がある。
（１）枠体内部を保護することができ、枠体内部のＬＥＤや他の部品が保護されるため、チャンネル文字が長持ちする。
（２）透光性のカバーを用いるため、様々の照明パターンを実現させることができる。
【発明を実施するための最良の形態】
【００１４】
（実施形態１）
本発明のチャンネル文字の実施形態の一例を、図面を示して詳細に説明する。本発明のチャンネル文字１は、図１、図２に示すように、アルファベットの小文字の「ｔ」字型のチャンネル文字用枠体２（以下「枠体２」とする。）に蓋３を取り付けてなるものであり、蓋３側を正面にして枠体２に取付けられている。図に示すチャンネル文字１は、枠体２の背面を壁材５０から離して取り付けられており、蓋３側と枠体２の背面側の両面を照明することができるようにしてある。
【００１５】
前記枠体２は、図３に示すように、前面と背面の両面が開口した枠状の部材である。前記枠体２は、本実施形態では図２に示すように、アルファベットの小文字の「ｔ」字型に形成されている。また、枠体２の前面部は、内側に折り返されて、前記蓋３を枠体２に着座させる蓋着座部２６が形成されている。枠体２の形状はこれには限られず、前面と背面の両面が開口されている枠状の部材であれば、任意の形状とすることができる。本実施形態の枠体２は、非透光性の金属製であるが、非透光性のものであれば、樹脂製や、その他の部材によるものであってもよい。
【００１６】
前記枠体２の内部には、図２、図３に示すように、枠体２の内部を前面側収容部４と背面側収容部５とに仕切る仕切り壁６が備えられている。仕切り壁６は、前記枠体２の内周に適合する形状に成形された板材であって、枠体２の内部を隙間なく前面側収容部４と背面側収容部５とに仕切ることができる。仕切り壁６は、図３に示すように、その端部がＬ字型に折り返されて螺子止め部７とされており、この螺子止め部７において、螺子止めされて枠体２と固定されている。本実施形態の仕切り壁６は、非透光性の金属製であるが、非透光性を有するものであれば、樹脂製や、その他の部材によるものであってもよい。また、仕切り壁６の枠体２への固定も、螺子止めには限られず、溶接や、接着剤等、任意の方法によって固定することができる。
【００１７】
前記枠体内部の前面側収容部４には、図２、図３に示すように、前記仕切り壁６上にＬＥＤ取付け板８が備えられている。前記仕切り壁６とＬＥＤ取付け板８との間には、適宜間隔で浮かし用パイプ９が備えられており、浮かし用パイプ９が備えられた部分の仕切り壁６とＬＥＤ取付け板８とを、螺子によって貫通させて螺子止めし、ＬＥＤ取付け板８を仕切り壁６上に固定している。前記ＬＥＤ取付け板８は枠体２の内周よりやや小径に成形された板材である。本実施形態のＬＥＤ取付け板８は、非透光性の金属製であるが、非透光性を有するものであれば、樹脂製や、その他の部材によるものであってもよい。また、ＬＥＤ取付け板８と、浮かし用パイプ及び仕切り壁６との固定も、螺子止めには限られず、溶接や、接着剤等、任意の方法によって固定することができる。
【００１８】
また、前記枠体内部の前面側収容部４には、図２、図３に示すように、前記仕切り壁６上に区画壁１１が二枚鉛直に備えられている。区画壁１１は、枠体内部の前面側収容部４を複数の区画に仕切ることができる形状に成形された板材であって、図２に示すように、本実施形態の、「ｔ」字型の枠体２のうち、横棒部分と縦棒部分とを区画することができる。前記二枚の区画壁１１によって仕切られた「ｔ」字型の枠体２の横棒部分にも、前記同様にＬＥＤ取付け板１２が備えられている。
【００１９】
また、前記ＬＥＤ取付け板８上には、図２、図３に示すように、可撓性を有する部材で形成されたフィルム状の基板１３に取付けられた複数個の白色ＬＥＤ１４が取付けられている。前記フィルム状の基板１３は、可撓性を有する部材によってフィルム状に形成された回路基板であって、接着テープや接着剤等によってＬＥＤ取付け板８に取付けられている。基板１３の形状は、フィルム状に限らず、板状等任意の形状とすることができる。前記複数個の白色ＬＥＤ１４は、所定の間隔で基板１３に取付けられており、図３に示す矢印方向（正面）に光を照射することができるように備えられている。
【００２０】
また、前記二枚の区画壁１１によって仕切られた「ｔ」字型の枠体２の横棒部分のＬＥＤ取付け板１２上には、図２、図３に示すように、フィルム状の基板１３に取付けられた複数個の赤色ＬＥＤ１５が取付けられている。基板１３は、前記のものと同様のものである。また、前記複数個の赤色ＬＥＤ１５も、図３に示す矢印方向（正面）に光を照射することができるように備えられている。
【００２１】
一方、前記枠体内部の背面側収容部５にも、図３、図４に示すように、前記仕切り壁６背面にＬＥＤ取付け板１６が備えられている。前記仕切り壁６とＬＥＤ取付け板１６との間には、適宜間隔で浮かし用パイプ１７が備えられており、浮かし用パイプ１７が備えられた部分の仕切り壁６とＬＥＤ取付け板１６とを、螺子によって貫通させて螺子止めし、ＬＥＤ取付け板１６を仕切り壁６背面に固定している。前記ＬＥＤ取付け板１６は枠体２の内周よりやや小径に成形された板材である。また、ＬＥＤ取付け板１６の周縁部は、枠体背面側に向かってＬ字型に曲げられており、ＬＥＤ取付け部１９が形成されている。本実施形態のＬＥＤ取付け板１６は、非透光性の金属製であるが、非透光性のものであれば、樹脂製や、その他の部材によるものであってもよい。また、ＬＥＤ取付け板１６と、浮かし用パイプ１７及び仕切り壁６との固定も、螺子止めには限られず、溶接や、接着剤等、任意の方法によって固定することができる。
【００２２】
前記ＬＥＤ取付け板１６のＬＥＤ取付け部１９には、図３、図４に示すように、フィルム状の基板１３に取付けられた複数個の青色ＬＥＤ２０が取付けられている。また、この複数個の青色ＬＥＤ２０は、図３に示す矢印方向（側方）に光を照射することができるように備えられている。
【００２３】
枠体２の背面側開口部には、図３、図４に示すように、背面カバー２１が背面側開口部を覆って備えられている。本実施形態では、前記背面カバー２１は透明なアクリル板であって、図３に示すようにＬ字型の金具２２を用いて、螺子２３によって螺子止めして枠体２に固定してある。背面カバー２１は、透明なアクリル板には限られず、透光性の部材であれば、任意の色及び素材のものを用いることもできる。また、背面カバー２１の枠体２への固定も、螺子止めには限られず、溶接や、接着剤等、任意の方法によって固定することができる。
【００２４】
蓋３は、図２、図３に示すように、前面カバー２４と、周縁材２５とを備えてなるものであり、前記枠体２の前端の蓋着座部２６に前面カバー２４を着座させ、その上から、前面カバー２４の周縁部を押さえつけて周縁材２５が備えられ、螺子止めされて枠体２に固定されている。本実施形態では、前記前面カバー２４には、乳白色のアクリル板を用いている。もっとも、前面カバー２４は、乳白色のアクリル板には限られず、透光性の部材であれば、任意の色及び素材のものを用いることもできる。また、前記周縁材２５は、図３に示すように、枠体２の前面側収容部４の端面部分及び前記蓋着座部２６を覆うことができるフレーム状の部材である。前記周縁材２５の枠体２への固定も、螺子止めには限られず、溶接や、接着剤等、任意の方法によって固定することもできる。前記のように、蓋３を枠体２に取付けて、図１に示す本発明のチャンネル文字１が形成される。
【００２５】
本発明のチャンネル文字１を壁材５０に取付けるには、図３に示すように、チャンネル文字１を取付ける壁材５０と、背面カバー２１と、ＬＥＤ取付け板１６と、仕切り壁６と、ＬＥＤ取付け板８とに、夫々挿通孔を形成し、その挿通孔に、取付け用ボルト３０を挿通して、壁材５０と、仕切り壁６において、ナット３１で両側から固定する。なお、壁材５０と、仕切り壁６以外の、背面カバー２１と、ＬＥＤ取付け板１６と、ＬＥＤ取付け板８の挿通孔３２〜３４は、大径に形成することで、作業孔として利用することも可能である。本実施形態では、図３に示すように、チャンネル文字１が、壁材５０と所定の距離だけ離れるように取付けられるようにしてある。
【００２６】
従って、本実施形態のチャンネル文字１の前面部は、「ｔ」の字の横棒部分を赤色に、その他の部分を白色に分けて照明することができる。また、枠体２の背面の周縁部付近に備えた複数個の青色ＬＥＤ２０によって、本実施形態のチャンネル文字１の背面部は、壁面を青色に照明することができ、本実施形態のチャンネル文字１を正面から見ると、「ｔ」の字の周縁部が青色に照明されて見える。
【００２７】
（その他の実施形態）
各ＬＥＤの色は前記各色には限られず、白色、赤色、青色、黄色、緑色等、任意の色のＬＥＤを用いることができる。また、ＬＥＤの発光方向も、前記実施形態に示すものには限られず、任意の発光方向とすることができる。従って、例えば、前面側収容部４と背面側収容部５の両面に正面発光のＬＥＤを備えること等もできる。そのため、両面発光の看板なども作ることができる。また、枠体２の形状も、前記「ｔ」字型のものには限られず、文字であればその他のアルファベットの他に、数字、平仮名、片仮名、漢字、ハングル文字やタイ文字など、様々な文字の形状とすることができる。また、その他の図形や模様等、任意の形状とすることができる。
【００２８】
前記浮かしパイプと、ＬＥＤ取付け板は省くこともできる。その場合は、仕切り板や枠体の内周面にＬＥＤを直接取付ければよい。また、各ＬＥＤを支持する基板も、可撓性のない部材で形成することも可能である。その場合、基板１３を予め枠体２の形状にあわせた形状に形成しておくことが望ましい。また、基板は、前記実施形態に示すようなフィルム状等の連続した形状には限られず、個々のＬＥＤについて基板を備えることも可能である。
【００２９】
また、ＬＥＤの配置や、照明方法も、前記のものには限られず、任意の配置及び照明方法とすることができる。
【産業上の利用可能性】
【００３０】
本発明のチャンネル文字は、広告分野の他にも、玩具分野や、自動車等の機械分野等の、他の分野にも広く応用することができる。
【図面の簡単な説明】
【００３１】
【図１】本発明のＬＥＤを用いたチャンネル文字の実施形態の一例を示す斜視図。
【図２】図１に示すＬＥＤを用いたチャンネル文字を示す分解斜視図。
【図３】図１に示すＬＥＤを用いたチャンネル文字を示す断面説明図。
【図４】図１に示すＬＥＤを用いたチャンネル文字を示す底面説明図。
【符号の説明】
【００３２】
１  チャンネル文字
２  枠体
３  蓋
４  前面側収容部
５  背面側収容部
６  仕切り壁
１１  区画壁
１３  基板
１４  白色ＬＥＤ
１５  赤色ＬＥＤ
２０  青色ＬＥＤ
３０  取付用ボルト
３１  ナット
【図１】
2005266677.tif 000003
【図２】
2005266677.tif 000004
【図３】
2005266677.tif 000005
【図４】
2005266677.tif 000006